(57)【要約】【課題】大がかりな工事をすることなく長期間に亘って使用可能な温水生成システムを提供する。【解決手段】水または湯を加熱する熱源機と、熱源機で加熱された湯を貯められる貯湯タンクと、熱源機から貯湯タンクへと送られる湯が流通する温水流通手段と、を備える温水生成システムであって、温水流通手段は断熱材からなる保護管と、該保護管内に収容された複数の配管と、を備えており、複数の配管のうち１本の配管が、熱源機から貯湯タンクへと送られる湯を流通させられるように熱源機および貯湯タンクに接続されているとともに、複数の配管のうち他の配管には湯が流通しない、温水生成システムとする。【選択図】図２
2015025621.tif 000002
【特許請求の範囲】
【請求項１】
水または湯を加熱する熱源機と、前記熱源機で加熱された湯を貯められる貯湯タンクと、前記熱源機から前記貯湯タンクへと送られる前記湯が流通する温水流通手段と、を備える温水生成システムであって、
前記温水流通手段は断熱材からなる保護管と、該保護管内に収容された複数の配管と、を備えており、
前記複数の配管のうち１本の前記配管が、前記熱源機から前記貯湯タンクへと送られる前記湯を流通させられるように前記熱源機および前記貯湯タンクに接続されているとともに、前記複数の配管のうち他の前記配管には前記湯が流通しない、温水生成システム。
【請求項２】
前記複数の配管のうち隣り合う前記配管の間に断熱材が備えられている、請求項１に記載の温水生成システム。
【請求項３】
前記複数の配管のうち、前記熱源機から前記貯湯タンクへと送られる前記湯が流通しない前記配管のうち少なくとも１本に酸化防止剤を含む溶剤が充填されている、請求項１または２に記載の温水生成システム。
【請求項４】
前記温水流通手段が、蛇腹状の鞘管を備えており、前記複数の配管が前記鞘管に収容されるとともに、前記鞘管が前記保護管に収容されている、請求項１乃至３のいずれかに記載の温水生成システム。
【請求項５】
水または湯を加熱する熱源機と、前記熱源機で加熱された湯を貯められる貯湯タンクと、前記熱源機から前記貯湯タンクへと送られる前記湯が流通する温水流通手段と、を備える温水生成システムの施工方法であって、
前記温水流通手段は断熱材からなる保護管と、該保護管内に収容された複数の配管と、を備えており、
前記複数の配管のうち１本の前記配管を、前記熱源機から前記貯湯タンクへと送られる前記湯を流通させられるように前記熱源機および前記貯湯タンクに接続する、温水生成システムの施工方法。
【請求項６】
前記複数の配管のうち隣り合う前記配管の間に断熱材が備えられている、請求項５に記載の温水生成システムの施工方法。
【請求項７】
前記複数の配管のうち、前記熱源機から前記貯湯タンクへと送られる前記湯が流通する前記配管以外の配管のうち少なくとも１本には、酸化防止剤を含む溶剤を充填する、請求項５または６に記載の温水生成システムの施工方法。
【請求項８】
前記温水流通手段が、蛇腹状の鞘管を備えており、前記複数の配管が前記鞘管に収容されるとともに、前記鞘管が前記保護管に収容されている、請求項５乃至７のいずれかに記載の温水生成システムの施工方法。
【請求項９】
水または湯を加熱する熱源機と前記熱源機で加熱された湯を貯められる貯湯タンクとを結ぶ温水流通手段の使用方法であって、
前記温水流通手段は断熱材からなる保護管と、該保護管内に収容された複数の配管と、を備えており、
前記複数の配管のうち１本の前記配管を、前記熱源機から前記貯湯タンクへと送られる前記湯が流通するように前記熱源機および前記貯湯タンクに接続する工程と、
所定の期間が経過した後、前記複数の配管のうち前記熱源機および前記貯湯タンクに接続されている前記配管を前記熱源機および前記貯湯タンクから外し、前記複数の配管のうち他の前記配管を、前記熱源機から前記貯湯タンクへと送られる前記湯が流通するように前記熱源機および前記貯湯タンクに接続する工程と、
を有する、温水流通手段の使用方法。
【請求項１０】
前記複数の配管のうち隣り合う前記配管の間に断熱材が備えられている、請求項９に記載の温水流通手段の使用方法。
【請求項１１】
前記複数の配管のうち、前記熱源機から前記貯湯タンクへと送られる前記湯が流通する前記配管以外の配管のうち少なくとも１本には、酸化防止剤を含む溶剤が充填されている、請求項９または１０に記載の温水流通手段の使用方法。
【請求項１２】
前記温水流通手段が、蛇腹状の鞘管を備えており、前記複数の配管が前記鞘管に収容されるとともに、前記鞘管が前記保護管に収容されている、請求項９乃至１１のいずれかに記載の温水流通手段の使用方法。
【請求項１３】
水または湯を加熱する熱源機と、前記熱源機で加熱された湯を貯められる貯湯タンクと、の間に配置され、前記熱源機から前記貯湯タンクへと送られる前記湯が流通する温水流通手段であって、
断熱材からなる保護管と、該保護管内に収容された複数の配管と、を備えており、
前記複数の配管のうち隣り合う前記配管の間に断熱材が備えられており、
前記複数の配管のうち１本の前記配管が、前記熱源機から前記貯湯タンクへと送られる前記湯を流通させられるように前記熱源機および前記貯湯タンクに接続される、温水流通手段。
【請求項１４】
水または湯を加熱する熱源機と、前記熱源機で加熱された湯を貯められる貯湯タンクと、の間に配置され、前記熱源機から前記貯湯タンクへと送られる前記湯が流通する温水流通手段であって、
断熱材からなる保護管と、該保護管内に収容された複数の配管と、を備えており、
前記複数の配管のうち少なくとも１本に酸化防止剤を含む溶剤が充填されている、温水流通手段。
【請求項１５】
水または湯を加熱する熱源機と、前記熱源機で加熱された湯を貯められる貯湯タンクと、の間に配置され、前記熱源機から前記貯湯タンクへと送られる前記湯が流通する温水流通手段であって、
断熱材からなる保護管と、該保護管内に収容された複数の配管と、を備えており、
前記配管が３本以上であり且つ口径が同じである、温水流通手段。
【請求項１６】
さらに蛇腹状の鞘管を備えており、前記複数の配管が前記鞘管に収容されるとともに、前記鞘管が前記保護管に収容されている、請求項１３乃至１５のいずれかに記載の温水流通手段。
【発明の詳細な説明】
【技術分野】
【０００１】
本発明は、水または湯を加熱する熱源機と該熱源機で加熱された湯を貯める貯湯タンクとを備える温水生成システム、該温水生成システムの施工方法、該温水生成システムにおいて熱源機から貯湯タンクに湯を供給する温水流通手段および該温水流通手段の使用方法に関する。
【背景技術】
【０００２】
近年、省エネルギーの観点から、一般住宅や集合住宅等の建物に燃料電池や自然冷媒ヒートポンプ給湯機（例えば、エコキュート（登録商標））等の機器の設置が進んでいる。これらの機器を用いて加熱された湯は配管を通して貯湯タンクへと送られ、そこで使用時まで保温される。
【０００３】
上記のように加熱された湯を流通させる配管には、これまでに様々なものが使用されている。例えば特許文献１には、２本の細径樹脂管と、細径樹脂管の約２倍の断面積を有する１本の太径樹脂管とをテープを巻いて束ね、これを蛇腹形樹脂管（ＣＤ管）内に遊挿して成る床暖房用温水配管が開示されている。
【先行技術文献】
【特許文献】
【０００４】
【特許文献１】特許第３７９３３３７号公報
【発明の概要】
【発明が解決しようとする課題】
【０００５】
上記特許文献１に開示されている床暖房用温水配管は、床暖房マットへと湯を供給する配管である。床暖房マットで使用される湯の温度は然程高くないことから、床暖房マットへと湯を供給する配管は湯の温度によって劣化するということが問題となり難い。
【０００６】
一方、燃料電池や自然冷媒ヒートポンプ給湯機等の機器（以下、「熱源機」ということがある。）で加熱された湯を貯湯タンクへと流す配管には、通常、高温（例えば、７５℃〜９５℃程度）の湯が流される。このような高温の湯を流すと配管が熱によって劣化しやすくなる。しかしながら、以下に説明するようにこのような配管の取り替えは困難である。
【０００７】
一般住宅や集合住宅等において、上記熱源機と貯湯タンクは設置空間の確保の観点から通常は離れた位置に設置される。例えば、熱源機はベランダに設置され、貯湯タンクは玄関付近に設置されることがある。そのため、熱源機と貯湯タンクとを結ぶ配管は床下等に配置される。よって、このような配管を交換するためには部屋の内装を壊す必要があった。
【０００８】
上記のように配管の交換のために内装を壊すという事態を避けるためには、鞘管と呼ばれる管の中に配管を通し、鞘管は設置したままで鞘管内の配管だけを抜き差しして交換することも考えられる。しかしながら、極度に曲がりくねった場所に配管を設置する場合等は、鞘管に配管を抜き差しすることが困難となるため、結局は内装を壊して配管を交換せざるをえなくなることがあった。
【０００９】
そこで本発明は、大がかりな工事をすることなく長期間に亘って使用可能な温水生成システムを提供することを課題とする。また、温水生成システムの施工方法、温水生成システムに用いられる温水流通手段の使用方法および温水生成システムに用いられる温水流通手段を提供する。
【課題を解決するための手段】
【００１０】
以下、本発明について説明する。
【００１１】
本発明の第１の態様は、水または湯を加熱する熱源機と、熱源機で加熱された湯を貯められる貯湯タンクと、熱源機から貯湯タンクへと送られる湯が流通する温水流通手段と、を備える温水生成システムであって、温水流通手段は断熱材からなる保護管と、該保護管内に収容された複数の配管と、を備えており、複数の配管のうち１本の配管が、熱源機から貯湯タンクへと送られる湯を流通させられるように熱源機および貯湯タンクに接続されているとともに、複数の配管のうち他の配管には湯が流通しない、温水生成システムである。
【００１２】
上記本発明の第１の態様において、複数の配管のうち隣り合う配管の間に断熱材が備えられていることが好ましい。
【００１３】
また、上記本発明の第１の態様において、複数の配管のうち、熱源機から貯湯タンクへと送られる湯が流通しない配管のうち少なくとも１本に酸化防止剤を含む溶剤が充填されていることが好ましい。
【００１４】
さらに、上記本発明の第１の態様において、温水流通手段が、蛇腹状の鞘管を備えており、複数の配管が鞘管に収容されるとともに、鞘管が保護管に収容されている形態とすることができる。
【００１５】
本発明の第２の態様は、水または湯を加熱する熱源機と、熱源機で加熱された湯を貯められる貯湯タンクと、熱源機から貯湯タンクへと送られる湯が流通する温水流通手段と、を備える温水生成システムの施工方法であって、温水流通手段は断熱材からなる保護管と、該保護管内に収容された複数の配管と、を備えており、複数の配管のうち１本の配管を、熱源機から貯湯タンクへと送られる湯を流通させられるように熱源機および貯湯タンクに接続する、温水生成システムの施工方法である。
【００１６】
上記本発明の第２の態様において、複数の配管のうち隣り合う配管の間に断熱材が備えられていることが好ましい。
【００１７】
また、上記本発明の第２の態様において、複数の配管のうち、熱源機から貯湯タンクへと送られる湯が流通する配管以外の配管のうち少なくとも１本には、酸化防止剤を含む溶剤を充填することが好ましい。
【００１８】
さらに、上記本発明の第２の態様において、温水流通手段が、蛇腹状の鞘管を備えており、複数の配管が鞘管に収容されるとともに、鞘管が保護管に収容されている形態とすることができる。
【００１９】
本発明の第３の態様は、水または湯を加熱する熱源機と該熱源機で加熱された湯を貯められる貯湯タンクとを結ぶ温水流通手段の使用方法であって、温水流通手段は断熱材からなる保護管と、該保護管内に収容された複数の配管と、を備えており、複数の配管のうち１本の配管を、熱源機から貯湯タンクへと送られる湯が流通するように熱源機および貯湯タンクに接続する工程と、所定の期間が経過した後、複数の配管のうち熱源機および貯湯タンクに接続されている配管を熱源機および貯湯タンクから外し、複数の配管のうち他の配管を、熱源機から貯湯タンクへと送られる湯が流通するように熱源機および貯湯タンクに接続する工程と、を有する、温水流通手段の使用方法である。
【００２０】
上記本発明の第３の態様において、複数の配管のうち隣り合う配管の間に断熱材が備えられていることが好ましい。
【００２１】
また、上記本発明の第３の態様において、複数の配管のうち、熱源機から貯湯タンクへと送られる湯が流通する配管以外の配管のうち少なくとも１本には、酸化防止剤を含む溶剤が充填されていることが好ましい。
【００２２】
さらに、上記本発明の第３の態様において、温水流通手段が、蛇腹状の鞘管を備えており、複数の配管が鞘管に収容されるとともに、鞘管が保護管に収容されている形態とすることができる。
【００２３】
本発明の第４の態様は、水または湯を加熱する熱源機と、熱源機で加熱された湯を貯められる貯湯タンクと、の間に配置され、熱源機から貯湯タンクへと送られる湯が流通する温水流通手段であって、断熱材からなる保護管と、該保護管内に収容された複数の配管と、を備えており、複数の配管のうち隣り合う配管の間に断熱材が備えられており、複数の配管のうち１本の配管が、熱源機から貯湯タンクへと送られる湯を流通させられるように熱源機および貯湯タンクに接続される、温水流通手段である。
【００２４】
本発明の第５の態様は、水または湯を加熱する熱源機と、熱源機で加熱された湯を貯められる貯湯タンクと、の間に配置され、熱源機から貯湯タンクへと送られる湯が流通する温水流通手段であって、断熱材からなる保護管と、該保護管内に収容された複数の配管と、を備えており、複数の配管のうち少なくとも１本に酸化防止剤を含む溶剤が充填されている、温水流通手段である。
【００２５】
本発明の第６の態様は、水または湯を加熱する熱源機と、熱源機で加熱された湯を貯められる貯湯タンクと、の間に配置され、熱源機から貯湯タンクへと送られる湯が流通する温水流通手段であって、断熱材からなる保護管と、該保護管内に収容された複数の配管と、を備えており、配管が３本以上であり且つ口径が同じである、温水流通手段である。
【００２６】
上記本発明の第４乃至第６の態様において、さらに蛇腹状の鞘管を備えており、複数の配管が鞘管に収容されるとともに、鞘管が保護管に収容されている形態とすることができる。
【発明の効果】
【００２７】
本発明によれば、大がかりな工事をすることなく長期間に亘って温水生成システムを使用することができる。
【図面の簡単な説明】
【００２８】
【図１】温水生成システム１００の構成を説明する図である。
【図２】温水流通手段１０の断面を示した図である。
【図３】図３（Ａ）乃至図３（Ｃ）はそれぞれ温水流通手段の他の形態例を示した断面図である。
【発明を実施するための形態】
【００２９】
本発明の上記作用および利得は、次に説明する発明を実施するための形態から明らかにされる。以下、本発明を図面に示す実施形態に基づき説明する。ただし本発明は当該実施形態に限定されるものではない。なお、以下に示す図は構成を概念的に示したものであり、各構成要素の大きさや形状を正確に示すものではない。
【００３０】
図１は温水生成システム１００の構成を説明する図である。図１には、熱源機２０、貯湯タンク３０、熱源機２０から貯湯タンク３０へと供給される湯が流通する温水流通手段１０および貯湯タンク３０から熱源機２０へと供給される水または湯が流通する配管１１のみ示されている。ただし、温水生成システム１００の用途に応じてその他の必要な公知の設備が適宜備えられることは言うまでもない。
【００３１】
熱源機２０としては、外部から供給された水または湯を加熱して他の設備に供給できる装置であれば特に限定されない。従って、熱源機２０の具体例としては、燃料電池や自然冷媒ヒートポンプ給湯機等を挙げることができる。
【００３２】
貯湯タンク３０は熱源機２０で加熱された湯を受け入れ可能であり、受け入れた湯を必要時まで保温しておくことができ、必要時には貯めた湯を排出することができるタンクである。このような貯湯タンク３０としては、公知のものを特に限定することなく用いることができる。
【００３３】
配管１１は熱源機２０で加熱するために貯湯タンク３０から送られる水または湯を通す配管である。配管１１を流れる水または湯の温度は然程高くならない（例えば、２０℃〜４０℃程度である。）ため、配管１１が上述したように温度によって劣化するという問題は生じにくい。従って、配管１１の形態は特に限定されず、公知の配管を用いることができる。
【００３４】
温水流通手段１０は、熱源機２０から貯湯タンク３０へと送られる湯が流通する手段である。図２は温水流通手段１０の断面を示した図である。
図２に示したように、温水流通手段１０は、複数の配管１ａ、１ｂ、１ｃと、該配管１ａ、１ｂ、１ｃを収容する鞘管２と、鞘管２を収容する断熱材からなる保護管３と、を備えている。
複数の配管１ａ、１ｂ、１ｃのうち１本の配管は熱源機２０から貯湯タンク３０へと送られる湯を流通させられるように熱源機２０および貯湯タンク３０に接続されている。以下の説明では、配管１ａが熱源機２０および貯湯タンク３０に接続されていることとする。一方、複数の配管１ａ、１ｂ、１ｃのうち他の配管、すなわち配管１ｂ、１ｃは湯が流通しないようになっている。
【００３５】
上記のように複数の配管を用意し、そのうち一部の配管（例えば、上記のように１本の配管のみ）に湯を流通させ、他の配管には湯を流通させないようにしておくことによって、以下に説明するように大がかりな工事をすることなく長期間に亘って温水生成システム１００を使用することができる。
【００３６】
熱源機２０で加熱されて貯湯タンク３０へと送られる湯の温度は高温（例えば、７５℃〜９５℃程度）である。このような高温の湯は当該湯が流通する樹脂管の劣化を早める。すなわち、熱源機２０で加熱されて貯湯タンク３０へと送られる湯が流通する配管は、他の場所で用いられる配管に比べて劣化が著しく早い。そのため、従来は熱源機から貯湯タンクへと送られる湯が流れる配管のみを交換する工事を行わなければならなくなることがあった。例えば、架橋ポリエチレンからなる配管に７５℃〜９５℃程度の湯を流通させ続けた場合、およそ１０年程度で当該配管は使用できなくなる。一方、部屋の内装等の大規模な修繕が行われる周期は３０年程度である。従って、熱源機から貯湯タンクへと送られる湯が流れる配管が床下等に設置されている場合において、上記のように配管の交換工事を行わなければならなくなると、まだ修繕の必要がない内装まで壊さなければならなくなる虞があった。
【００３７】
しかしながら、温水流通手段１０には複数の配管１ａ、１ｂ、１ｃが備えられているため、最初に複数の配管１ａ、１ｂ、１ｃのうち１本の配管１ａを、熱源機２０から貯湯タンク３０へと送られる湯が流通するように熱源機２０および貯湯タンク３０に接続しておき、所定の期間が経過した後（例えば、配管１ａが劣化して使用できなくなったとき）、複数の配管１ａ、１ｂ、１ｃのうち熱源機２０および貯湯タンク３０に接続されている配管１ａを熱源機２０および貯湯タンク３０から外し、複数の配管１ａ、１ｂ、１ｃのうち他の配管（配管１ｂまたは配管１ｃ）を、熱源機２０から貯湯タンク３０へと送られる湯が流通するように熱源機２０および貯湯タンク３０に接続することができる。上記のようにして配管を繋ぎ替えることによって、温水流通手段１０に備えられる全ての配管が劣化して使用できなくなるまで、大がかりな工事をすることなく長期間に亘って温水流通手段１０を使用することができる。すなわち、大がかりな工事をすることなく長期間に亘って温水生成システム１００を使用することができる。
【００３８】
このような温水流通手段１０に用いられる配管１ａ、１ｂ、１ｃは、それぞれ特に限定されず、公知の配管を使用することができる。すなわち、配管１ａ、１ｂ、１ｃには、例えば、架橋ポリエチレン等の樹脂からなる管を用いることができる。
【００３９】
鞘管２は蛇腹状の管である。複数の配管１ａ、１ｂ、１ｃが鞘管２に収容されるとともに、鞘管２が保護管３に収容されている。上述したように温水流通手段１０によれば、配管を差し替えることなく長期間に亘って使用することができる。しかしながら、配管が想定していたより早く劣化した場合などには配管を差し替えなければならなくなることが考えられる。そのような場合に、鞘管２を用いることによって、配管の差し替えが容易になる。このような鞘管２としては、従来のものを特に限定することなく用いることができる。
【００４０】
保護管３は断熱材によって構成されている。配管１ａ、１ｂ、１ｃを保護管３内に収容することによって、これらの配管内を流れる湯の熱が外に放出されることを抑制できる。
【００４１】
保護管３は、温水流通手段１０を設置する際に問題とならない程度の可撓性を有しており、断熱性を有しているものであれば特に限定されない。このような保護管３を構成する材料としては、例えば、発泡架橋ポリエチレン、発泡ポリエチレン、発泡ポリスチレン、発泡ポリウレタン等がある。
【００４２】
上述したような温水生成システム１００は以下のようにして施工することができる。なお、温水生成システム１００を施工する際における温水流通手段１０以外の設置方法等については従来の温水生成システムと同様であるため、以下には主に温水流通手段１０の施工方法について説明する。
【００４３】
温水生成システム１００を施工するには、予め上述したように複数の配管１ａ、１ｂ、１ｃを備えた温水流通手段１０を用意し、複数の配管１ａ、１ｂ、１ｃのうち１本の配管１ａを、熱源機２０から貯湯タンク３０へと送られる湯を流通させられるように熱源機２０および貯湯タンク３０に接続する。例えば、熱源機２０の排出口に継手を介して配管１ａの一端を取り付け、貯湯タンク３０の流入口に継手を介して配管１ａの他端を取り付ける。
【００４４】
上記のようにして温水生成システム１００の施工当初は複数の配管１ａ、１ｂ、１ｃのうち１本の配管１ａのみを熱源機２０および貯湯タンク３０に接続しておく。そして所定の期間が経過して配管１ａが劣化したときに、使用する配管を切り替える。すなわち、配管１ａを熱源機２０および貯湯タンク３０から外し、配管１ｂまたは配管１ｃを上記と同様に継手を介して熱源機２０および貯湯タンク３０に接続する。このようにして使用する配管を所定の期間毎に切り替えることによって、大がかりな工事をすることなく長期間に亘って温水生成システム１００を使用することができる。
【００４５】
これまでの説明では、３本の配管が鞘管および保護管に収容された温水流通手段を用いる形態について例示して説明したが、本発明はかかる形態に限定されない。上述したように大がかりな工事をすることなく長期間に亘って温水生成システムを使用するという観点から、温水流通手段は複数の配管を備えていればよい。ただし、その使用目的から考えて配管内を流通する湯の熱が放出されることを防ぐため、断熱材からなる保護管は必要である。
【００４６】
図３（Ａ）乃至図３（Ｃ）はそれぞれ温水流通手段の他の形態例を示した断面図である。温水流通手段１０に代えて以下に例示する温水流通手段を上述した温水生成システムに適用しても、温水流通手段１０を用いる場合と同様に大がかりな工事をすることなく長期間に亘って温水生成システムを使用することができる。
【００４７】
図３（Ａ）に示した温水流通手段１１０は、複数の配管１ａ、１ｂ、１ｃのうち隣り合う配管の間に断熱材５が備えられている。このように断熱材５が備えられていることによって、複数の配管１ａ、１ｂ、１ｃのうち湯が流通している配管１ａから他の配管１ｂ、１ｃへと熱が伝わることを抑制し、当該他の配管１ｂ、１ｃの熱による劣化を抑制することができる。
【００４８】
図３（Ａ）に示した断熱材５は、図示した断面を有して紙面奥／手間方向に連続または断続的に延在する板状の断熱材である。図３（Ａ）には３枚の板状の断熱材５が一体となった形態を例示しているが、断熱材５は３枚の板状の断熱材がそれぞれ別々になった形態であってもよい。
【００４９】
なお、図３（Ａ）には、鞘管２内において各配管１ａ、１ｂ、１ｃが配置された領域を区切るように断熱材５が充填された形態を例示しているが、断熱材は鞘管２内に充填されていてもよい。ただし、図３（Ａ）に例示したように板状の断熱材５を設ける形態とすることによって、温水流通手段１１０の作製や設置が容易になる。
【００５０】
図３（Ｂ）に示した温水流通手段２１０は、複数の配管１ａ、１ｂ、１ｃのうち、熱源機２０から貯湯タンク３０へと送られる湯が流通させられていない配管１ｂ、１ｃに酸化防止剤を含む溶剤６が充填されている。図示した形態では、湯が流通させられていない全ての配管１ｂ、１ｃに酸化防止剤を含む溶剤６が充填されているが、湯が流通させられていない配管１ｂ、１ｃのうち少なくとも１本に酸化防止剤を含む溶剤６が充填さればよい。ただし、配管の劣化を防ぎやすくする観点からは、まだ湯が流通させられていない全ての配管に酸化防止剤を含む溶剤が充填されていることが好ましい。このように酸化防止剤を含む溶剤を配管に充填しておくことによって、熱によって配管が劣化することを抑制できる。
【００５１】
溶剤６は施工現場において充填してもよく、事前に充填しておいてもよい。配管に充填された溶剤が漏れないようにするため、溶剤が充填された配管の両端部には栓を設けることが好ましい。このようにして溶剤が充填された配管を用いる場合、上述したように所定の期間が経過して使用する配管を交換する際には、次に使用する配管から溶剤を抜き取り、継手を介して当該配管の一端を熱源機２０に接続し、継手を介して当該配管の他端を貯湯タンク３０に接続する。なお、溶剤には液体を用いることによって、配管から抜き取ることは容易である。
【００５２】
上記のような酸化防止剤を含む溶剤としては、例えば、エチレングリコール、ポリプロピレングリコールなどを主成分とした不凍液などがある。
【００５３】
図３（Ｃ）に示した温水流通手段３１０は、鞘管２を備えていない。上述したように、鞘管２は鞘管内の配管１ａ、１ｂ、１ｃを抜き差ししやすくする等の目的で備えられている。しかしながら、本発明によれば、上述したように配管を差し替えることなく温水流通手段を長期間に亘って使用できる。よって、鞘管２は備えられていなくてもよい。
【００５４】
なお、これまでは配管が３本備えられる形態について説明したが、配管の数は２本以上であれば特に限定されない。ただし、上述した趣旨から配管の数が多い方が温水流通手段を長期間に亘って使用することができる。すなわち、１本の配管の使用年数を約１０年とした場合、温水生成システムを施工して約３０年後に内装の大規模修繕を行うときに同時に配管を交換するためには、配管が３本以上備えられていることが好ましい。
【００５５】
また、温水流通手段に備えられる複数の配管の口径は、全て同じであることが好ましい。これは、上述したように複数の配管はそれぞれ使用時期（湯を流通させるために用いる時期）が異なるがその用途（熱源機から貯湯タンクへと送られる湯を流通させる）は同じだからである。
【符号の説明】
【００５６】
１ａ、１ｂ、１ｃ  配管
２  鞘管
３  保護管
５  断熱材
６  酸化防止剤を含む溶剤
１０、１１０、２１０、３１０  温水流通手段
１１  配管
２０  熱源機
３０  貯湯タンク
１００  温水生成システム
【図１】
2015025621.tif 000003
【図２】
2015025621.tif 000004
【図３】
2015025621.tif 000005